(57)【特許請求の範囲】
【請求項１】
一部開扉の通風状態にあるドアの内側に設置し、その開扉部分を通気性のあるスクリーンで覆うためのスクリーン装置であって、
上記スクリーン装置は、上記スクリーンと、スクリーンの両端にそれぞれ取り付けられた一対の巻取軸と、巻取軸を保持する軸ホルダーとを有し、
ドアの内側に設置されている額縁のドア開端側の側面とドア自体の室内側面とに、上記巻取軸がそれぞれ上記軸ホルダーを介して軸線を上下方向に向けて取り付けられ、上記スクリーンが、両巻取軸間の空間に張設する上記スクリーンの張設長さに余裕を持たせて上記巻取軸に取り付けられている、
ことを特徴とするドア内設置用スクリーン装置。
【請求項２】
上記スクリーンの両端を取り付ける一対の巻取軸をそれぞれ複数段に分割した分割巻取軸の連結により形成して、それらの分割巻取軸を伸縮自在に嵌挿し、上記スクリーンを最上段の分割巻取軸に固定し、最下段の分割巻取軸には固定又は着脱自在に取り付け可能にした、
ことを特徴とする請求項１に記載のドア内設置用スクリーン装置。
【請求項３】
上記軸ホルダーが、巻取軸に巻いたスクリーンを導出する開口部を持つ巻取軸用の抱持腕を備えると共に、少なくとも、上記額縁のドア開端側の側面とドア自体の室内側面とに設ける軸ホルダーの一方が、一対の巻取軸を並列状態で保持可能に形成されている、
ことを特徴とする請求項１又は２に記載のドア内設置用スクリーン装置。
【請求項４】
一部開扉の通風状態にあるドアの内側に設置し、その開扉部分を通気性のあるスクリーンで覆うためのスクリーン装置であって、
上記スクリーン装置は、上記スクリーンと、スクリーンの一端に取り付けられた巻取軸と、該スクリーンの他端に取り付けられた保持桟と、上記巻取軸を保持する軸ホルダーと、上記保持桟が取り付けられる取付部材とを有し、
ドアの内側に設置されている額縁のドア開端側の側面とドア自体の室内側面とのいずれか一方に、上記巻取軸が上記軸ホルダーを介して軸線を上下方向に向けて取り付けられ、その他方に、上記保持桟が上記取付部材を介して取り付けられていて、上記スクリーンが、上記巻取軸と保持桟との間の空間に張設される、
ことを特徴とするドア内設置用スクリーン装置。
【請求項５】
上記スクリーンの一端を巻き付けた巻取軸がその両端において回転軸を支持されるケース型の軸ホルダーに対して回転可能に支持され、該巻取軸内に収容したスプリングにより、該巻取軸がそれに巻き付けたスクリーンを巻き取る回転方向に付勢されている、
ことを特徴とする請求項４に記載のドア内設置用スクリーン装置。
【請求項６】
上記スクリーンの一端を巻き付ける巻取軸と該スクリーンの他端を保持する保持桟とを、それぞれ複数段に分割した分割巻取軸及び分割保持桟の連結により形成して、それらの分割巻取軸及び分割保持桟をそれぞれ伸縮自在に嵌挿し、上記スクリーンを最上段の分割巻取軸及び最上段の分割保持軸に固定し、最下段の分割巻取軸及び最下段の分割保持軸には固定又は着脱自在に取り付け可能にした、
ことを特徴とする請求項４に記載のドア内設置用スクリーン装置。
【請求項７】
ドアの内側に設置されている額縁のドア開端側の側面とドア自体の室内側面とのいずれか一方における巻取軸取付側に、そこに設置されている軸ホルダーに加えて、上記保持桟の取付部材を並設している、
ことを特徴とする請求項４〜６のいずれかに記載のドア内設置用スクリーン装置。
【請求項８】
一部開扉の通風状態にあるドアの内側に設置し、その開扉部分を通気性のあるスクリーンで覆うためのスクリーン装置であって、
上記スクリーン装置は、上記スクリーンと、スクリーンの両端にそれぞれ取り付けられた一対の保持桟と、上記保持桟が取り付けられる取付部材とを有し、
ドアの内側に設置されている額縁のドア開端側の側面とドア自体の室内側面とに、上記保持桟がそれぞれ上記取付部材を介して軸線を上下方向に向けて取り付けられ、一対の保持桟間の空間に、プリーツを上下方向に向けたアコーディオンプリーツ状の上記スクリーンが張設される、
ことを特徴とするドア内設置用スクリーン装置。
【請求項９】
上記スクリーンを水平方向に貫通する複数段のコードの各一端を一方の保持桟に固定すると共に、それらの各コードの他端を、他方の保持桟内において重錘又はバネによる引張力付与部材に連結することにより、上記各コードを緊張状態に保持して展張した上記スクリーンの垂れ下がりを抑制している、
ことを特徴とする請求項８に記載のドア内設置用スクリーン装置。
【請求項１０】
一部開扉の通風状態にするための、ドアの下端と床面との間に介装する楔形のドアストッパーを備え、
該ドアストッパーには、上記一部開扉に伴って、ドアの内側に張設する上記スクリーンよりも室内側にドア枠の一部が露出するのを覆い隠す補助板を、スクリーンの下端に相当する高さに取り付け可能に形成している、
ことを特徴とする請求項１〜９のいずれかに記載のドア内設置用スクリーン装置。
【発明の詳細な説明】
【技術分野】
【０００１】
本発明は、主として玄関用ドア等を、ドアガード、ドアチェーン、楔形をなすドアストッパー、その他の煽り止めによる一部開扉の通風状態において使用する場合に、該ドアの内側において、開扉部分からの虫の侵入防止、該開扉部分の目隠し等を行うために設置するドア内設置用スクリーン装置に関するものである。
【背景技術】
【０００２】
従来から、例えば、開放した玄関用ドアの内側においてその開放部分からの虫の侵入防止や目隠しを行う場合、ドアが全開放されても使用できるようなパネルスクリーンや収納式スクリーン装置等を、上記ドアの周囲の額縁内の全体にわたって設置するのが通例である。しかしながら、近年では防犯意識が高まるにつれ、ドアガード、ドアチェーンを利用し、必要に応じて楔形ドアストッパーやその他の煽り止め等を併用して、ドアの開放範囲を小さくする傾向にあるため、スクリーンの張設範囲を小さくして、ドア内設置用スクリーン装置を一層簡素で安価なものにすることが望まれている。
【発明の概要】
【発明が解決しようとする課題】
【０００３】
本発明は、上述した要望に基づくもので、その技術的課題は、玄関用ドアの内側等に設置するスクリーン装置を、ドアの開放範囲が小さい場合に適し、しかも、スクリーンの張設範囲をほぼ額縁内の一部に収めることができて、簡素で安価なものでありながら、防虫効果も十分に期待できるスクリーン装置を提供することにある。
【課題を解決するための手段】
【０００４】
上記課題を解決するため、本発明によれば、一部開扉の通風状態にあるドアの内側に設置し、その開扉部分を通気性のあるスクリーンで覆うためのスクリーン装置であって、上記スクリーン装置は、上記スクリーンと、スクリーンの両端にそれぞれ取り付けられた一対の巻取軸と、巻取軸を保持する軸ホルダーとを有し、ドアの内側に設置されている額縁のドア開端側の側面とドア自体の室内側面とに、上記巻取軸が、それぞれ上記軸ホルダーを介して軸線を上下方向に向けて取り付けられ、上記スクリーンが、両巻取軸間の空間に張設する上記スクリーンの張設長さに余裕を持たせて上記巻取軸に取り付けられていることを特徴とするドア内設置用スクリーン装置が提供される。
【０００５】
本発明に係る上記ドア内設置用スクリーン装置の好ましい実施形態においては、上記スクリーンの両端を取り付ける一対の巻取軸をそれぞれ複数段に分割して、それらの分割巻取軸をそれぞれ伸縮自在に嵌挿し、上記スクリーンを最上段の分割巻取軸に固定し、最下段の分割巻取軸には固定又は着脱自在に取り付け可能にしたものとして構成される。
このような構成は、ドア内設置用スクリーン装置の不使用時における嵩張らない保管を可能にするものである。
【０００６】
また、本発明に係るドア内設置用スクリーン装置の他の好ましい実施形態においては、上記軸ホルダーが、巻取軸に巻いたスクリーンを導出する開口部を持つ巻取軸用の抱持腕を備えると共に、少なくとも、上記額縁のドア開端側の側面とドア自体の室内側面とに設ける軸ホルダーの一方が、一対の巻取軸を並列状態で保持可能に形成されているものとして構成することができる。
このような構成は、ドア内設置用スクリーン装置の一時的な不使用時におけるスクリーンの保管を、一方の軸ホルダーにおける巻取軸の並列状態での保持により簡便に行うことを可能にするものである。
【０００７】
更に、上記課題を解決するため、本発明によれば、一部開扉の通風状態にあるドアの内側に設置し、その開扉部分を通気性のあるスクリーンで覆うためのスクリーン装置であって、上記スクリーン装置は、上記スクリーンと、スクリーンの一端に取り付けられた巻取軸と、該スクリーンの他端に取り付けられた保持桟と、上記巻取軸を保持する軸ホルダーと、上記保持桟が取り付けられる取付部材とを有し、ドアの内側に設置されている額縁のドア開端側の側面とドア自体の室内側面とのいずれか一方に、上記巻取軸が上記軸ホルダーを介して軸線を上下方向に向けて取り付けられ、その他方に、上記保持桟が上記取付部材を介して取り付けられていて、上記スクリーンが、上記巻取軸と保持桟との間の空間に張設されることを特徴とするドア内設置用スクリーン装置が提供される。
【０００８】
上記構成を有するドア内設置用スクリーン装置の好ましい実施形態においては、上記スクリーンの一端を巻き付けた巻取軸がその両端において回転軸を支持されるケース型の軸ホルダーに対して回転可能に支持され、該巻取軸内に収容したスプリングにより、該巻取軸がそれに巻き付けたスクリーンを巻き取る回転方向に付勢されているものとして構成することができる。かかる構成は、スクリーン装置の設置時に常にスクリーンを自動的に緊張状態に保持可能にするものである。
【０００９】
また、上記ドア内設置用スクリーン装置の好ましい実施形態においては、上記スクリーンの一端を巻き付ける巻取軸と該スクリーンの他端を保持する保持桟とをそれぞれ複数段に分割して、それらの分割巻取軸及び分割保持桟をそれぞれ伸縮自在に嵌挿し、上記スクリーンを最上段の分割巻取軸及び最上段の分割保持軸に固定し、最下段の分割巻取軸及び最下段の分割保持軸には固定又は着脱自在に取り付け可能にしたものとして構成される。
【００１０】
更に、上記ドア内設置用スクリーン装置の好ましい実施形態においては、ドアの内側に設置されている額縁のドア開端側の側面とドア自体の室内側面とのいずれか一方における巻取軸取付側に、そこに設置されている軸ホルダーに加えて、上記保持桟の取付部材を並設したものとして構成される。
このような構成は、前述の一対の巻取軸を伸縮自在にした場合と同様に、ドア内設置用スクリーン装置の不使用時における嵩張らない保管を可能にするものである。
【００１１】
また、前記課題を解決するため、本発明によれば、一部開扉の通風状態にあるドアの内側に設置し、その開扉部分を通気性のあるスクリーンで覆うためのスクリーン装置であって、上記スクリーン装置は、上記スクリーンと、スクリーンの両端にそれぞれ取り付けられた一対の保持桟と、上記保持桟が取り付けられる取付部材とを有し、ドアの内側に設置されている額縁のドア開端側の側面とドア自体の室内側面とに、上記保持桟がそれぞれ上記取付部材を介して軸線を上下方向に向けて取り付けられ、一対の保持桟間の空間に、プリーツを上下方向に向けたアコーディオンプリーツ状の上記スクリーンが張設されることを特徴とするドア内設置用スクリーン装置が提供される。
【００１２】
上記アコーディオンプリーツ状のスクリーンを用いたドア内設置用スクリーン装置においては、該スクリーンを水平方向に貫通する複数段のコードの各一端を一方の保持桟に固定すると共に、それらの各コードの他端を、他方の保持桟内において重錘又はバネによる引張力付与部材に連結することにより、上記各コードを緊張状態に保持して、展張した上記スクリーンの垂れ下がりを抑制するのが望ましい。
【００１３】
更に、上述したスクリーン装置をドア内に設置するに当たり、一部開扉の状態で該ドアを使用するために、張設したスクリーンよりも室内側にドア枠の一部が露出する開扉状態になることがあり、それに伴う室内外の直接的な連通や室内空間の見苦しさを避けるために、ドアの下端と床面との間に介装する楔形のドアストッパーを備え、該ドアストッパーには、上記一部開扉に伴って、ドアの内側に張設する上記スクリーンよりも室内側にドア枠の一部が露出するのを覆い隠す補助板を、スクリーンの下端に相当する高さに取り付け可能に形成することもできる。
【発明の効果】
【００１４】
以上に詳述した本発明のドア内設置用スクリーン装置によれば、玄関用ドアの内側等に設置するスクリーン装置を、ドアの開放範囲が小さい場合に適し、しかも、スクリーンの張設範囲をほぼ額縁内の一部に収めることができて、簡素で安価なものでありながら、防虫効果も十分に期待できるスクリーン装置を提供することができる。
【図面の簡単な説明】
【００１５】
【図１】本発明に係るドア内設置用スクリーン装置の第１実施例の使用状態を、スクリーンの大半を省略して示す斜視図である。
【図２】上記第１実施例の使用状態を示す横断面図である。
【図３】上記第１実施例のスクリーン装置におけるスクリーンの展張状態を示す斜視図である。
【図４】上記第１実施例のスクリーン装置の収納状態を示す斜視図である。
【図５】上記第１実施例の使用時における図２の要部拡大図である。
【図６】図５のドアストッパー及びそれに取り付ける補助板からなる隙間封止具の斜視図である。
【図７】本発明に係るドア内設置用スクリーン装置の第２実施例におけるスクリーンの展張状態を示す斜視図である。
【図８】第２実施例のスクリーン装置を収納状態にした場合の斜視図である。
【図９】本発明に係るドア内設置用スクリーン装置の第３実施例におけるスクリーンの展張状態を示す斜視図である。
【図１０】第３実施例のスクリーン装置を収納状態にした場合の斜視図である。
【図１１】本発明に係るドア内設置用スクリーン装置の第４実施例におけるスクリーンの展張状態を示す斜視図である。
【図１２】第４実施例のスクリーン装置を収納状態にした場合の斜視図である。
【発明を実施するための形態】
【００１６】
図１〜図４は、本発明に係るドア内設置用スクリーン装置の第１実施例を示している。この第１実施例に係るスクリーン装置１Ａは、主として玄関用ドアを、ドアガード、ドアチェーン、楔形のドアストッパー、その他の煽り止めによる一部開扉の通風状態において使用する場合に、該ドアの内側において、開扉部分からの虫類の侵入防止、該開扉部分の目隠し等を行うために設置するものである。なお、このスクリーン装置１Ａは、主として玄関用ドア等において用いるのに適しているが、それに限るものでない。
【００１７】
上記第１実施例に係るスクリーン装置１Ａについて具体的に説明すると、図１及び図２は、該スクリーン装置１Ａを建物内のドア２０の内側に取り付けて使用する態様を示し、図３及び図４は、上記スクリーン装置１Ａの構成を示している。
このスクリーン装置１Ａは、一部開扉の通風状態にあるドア２０の内側において、開扉部分を通気性のあるスクリーン２で覆い、その開扉部分からの虫の侵入防止、該開扉部分の目隠し等を行うためのもので、上記ドア２０の周枠を形成するドア枠２１に対して蝶番２２により開閉自在に取り付けられているドア２０の内側において、額縁２３のドア開端側の側面２３ａと、該ドア２０自体の室内側面２０ａとに、上記スクリーン２の両端にそれぞれ取り付けている一対の巻取軸４Ａ，５Ａを、それぞれの軸線を上下方向に向けて取り付け、両該巻取軸間の空間に該スクリーン２を張設するものである。
【００１８】
上記通気性のあるスクリーン２としては、防虫や花粉の侵入防止等に適するネットや不織布、或いはレース状の布などを用いることができる。該スクリーン２の両端を巻き付ける巻取軸４Ａ，５Ａは、それらを保持できるような形態の軸ホルダー７に保持させたうえで、それぞれ上記額縁２３のドア開端側の側面２３ａと該ドア２０自体の室内側面２０ａとに、取付部材８を介して取り付けるように構成している。該軸ホルダー７の取り付けを行う取付部材８としては、マグネットとそれに吸着させる吸着板、一対の面ファスナー、両面接着テープを含む離脱可能な接着剤、その他簡単な係止具等を用いることができる。
【００１９】
上記スクリーン２は、両端をそれぞれ巻取軸４Ａ，５Ａの周囲に固定したうえで、寸法的には、少なくとも予想される最大の張設長さに形成して、その長さに余裕を持たせ、使用に際しては、スクリーン装置１Ａの設置場所に応じて必要な長さのスクリーン２を両巻取軸４Ａ，５Ａ間に導出し、その長さを設置場所に適合させることができる。余裕となる長さのスクリーン２は、両巻取軸４Ａ，５Ａの一方又は双方に巻き付けておけばよい。また、巻取軸４Ａ，５Ａに対するスクリーン２の巻取り量の調整により、額縁２３のドア開端側の側面２３ａとドア２０の室内側面２０ａとの間のスクリーン２の張設範囲を適宜調整することもできる。なお、該スクリーン２の上下方向長さは、できるだけ額縁２３の内側寸法に適合させることが望まれる。
【００２０】
上記軸ホルダー７としては、図１や図３、図４等に示しているように、弾性ある合成樹脂や軽金属材、バネ材等により構成され、巻取軸４Ａ，５Ａに巻いたスクリーン２を導出する開口部７ｂを中間部に持つ巻取軸用の一対の抱持腕７ａを対向配置して、該抱持腕７ａにより巻取軸４Ａ，５Ａを弾性的に抱持する構成のものを、巻取軸４Ａ，５Ａの上下部に対応させて、該巻取軸４Ａ，５Ａの取付面に配置するのが望ましい。上記抱持腕７ａによる巻取軸の弾性的な抱持は、巻取軸に対するスクリーン２の巻き量の多少に対応させることができる点でも有利なものである。なお、図３に示す軸ホルダー７は、スクリーン装置１Ａの不使用時の収納をも考慮して、２本の巻取軸をまとめて並列状態で保持できるようにしているが、１本の巻取軸を保持するものであっても差し支えない。
【００２１】
上述したスクリーン装置１Ａは、それ自体の不使用時における嵩張らない保管を考慮する必要があり、また、ドア２０からの人の出入り等のためにスクリーン装置１Ａが一時的に不使用になることもあり、その場合の保管についても同様である。上述した２本の巻取軸４Ａ，５Ａを並列状態でまとめて保持できるようにした図３や図４の軸ホルダー７は、このような場合におけるスクリーン装置１Ａの保管をも簡便に行えるようにしたものである。上記額縁２３のドア開端側の側面２３ａとドア２０自体の室内側面２０ａとに設ける軸ホルダー７の少なくとも一方を、一対の巻取軸４Ａ，５Ａを並列状態で保持可能な上記構造の軸ホルダー７（図４参照）とすることにより、２本の巻取軸４Ａ，５Ａをその軸ホルダー７において並列状態で保持させておくことが可能になり、しかも、スクリーン２は両巻取軸に巻き取ることができるので、見苦しい状態になることはない。
【００２２】
本発明に係る上記ドア内設置用スクリーン装置１Ａを玄関用ドアの内側において、額縁２３のドア開端側の側面２３ａと該ドア２０自体の室内側面２０ａとの間に一対の巻取軸４Ａ，５Ａを取り付けて使用する場合においては、図１に示すように、一部開扉に伴って露出するドア枠２１の下辺部と、スクリーン２の下端部との間に、小さいながらも室内外を連通させる隙間２５が生じる可能性がある。この隙間２５は、室内側では上方から垂下するスクリーン２の下端が床面上にまで達しているのに対し、一部開扉によって、上記床面よりも低いドア枠２１の下辺部で室内側に露出している部分Ａ（図５参照）では、その露出する部分Ａとスクリーン２の下端部との間の高低差により生じるものであり、必ずしも無視できない場合があるので、望ましくは、該隙間２５を封止する封止具２７を用意する必要がある。そのため、図５（図２の要部拡大図）及び図６を参照して、該封止具２７の一例について以下に説明する。
【００２３】
図５及び図６は、上記ドア枠２１の下辺部とドア枠２１より内側の室内床面との間の段差に基づく隙間２５を封止する封止具２７の構成と使用態様を例示するもので、この封止具２７においては、ドア２０を一部開扉の状態に保持して使用するために、ドア２０の下端と該ドアのドア枠２１との間に介装する楔形のドアストッパー２８を利用し、該ドアストッパー２８に、上記一部開扉に伴って、ドア２０の内側に張設される上記スクリーン２よりも室内側においてドア枠２１の下辺部の一部が露出するのを覆い隠すため、スクリーン２の下端に相当する高さに補助板２９を取り付け可能に形成している。
【００２４】
上記補助板２９は、それをドアストッパー２８に対して取り付けるのが適しているが、ドアストッパー２８に対する適切な取り付け高さは、当該ドアストッパーの設置位置によって決まるために、現実的に本発明に係るドア内設置用スクリーン装置をドアの内側に設置した段階で、はじめてその高さをほぼ正確に理解できるものである。そのため、図６に示すように、ドアストッパー２８に対して補助板２９の一部２９ａを差し込んで保持させるための高さを異にする複数段の切り溝２８ａを予め切設しておいてもよいが、接着、ネジ止め、釘止め、その他の手段でユーザーにおいて適切な高さに取り付ける可能にしておくこともできる。また、上記補助板２９のドア側の一部２９ｂは、ドア２０の下部と接触する可能性があるので、該補助板２９をユーザーにおいて簡単に切除できる素材で形成しておくのが望ましい。
【００２５】
更に、図７及び図８は、本発明に係るドア内設置用スクリーン装置の第２実施例を示している。この第２実施例に係るスクリーン装置１Ｂは、上記第１実施例の巻取軸４Ａ，５Ａと同様に、スクリーン２の両端をそれぞれ巻き付ける一対の巻取軸４Ｂ，５Ｂを備えているが、それらの巻取軸４Ｂ，５Ｂのそれぞれを、複数段に分割した分割巻取軸９ａ〜９ｃの連結により形成し、それらの分割巻取軸９ａ〜９ｃを伸縮自在に嵌挿して、上記スクリーン２を最上段の分割巻取軸９ａに固定し、最下段の分割巻取軸９ｃには固定又は着脱自在に取り付け可能に構成し、これにより、スクリーン装置１Ｂの不使用時における巻取軸４Ｂ，５Ｂの長さ方向の嵩張りを解消可能にするものである。
【００２６】
これを更に具体的に説明すると、上記一対の巻取軸４Ｂ，５Ｂは、それらの複数段の分割巻取軸９ａ〜９ｃを相互に嵌挿して伸縮自在にするため、図示の実施例では、相互に連結した場合の最上段及び最下段の分割巻取軸９ａ，９ｃは最大径の同径のものとし、中段の分割巻取軸９ｂは、それを最上段の分割巻取軸９ａと一体に連結し、上記最下段の分割巻取軸９ｃに嵌挿できる径を持つものとして構成している。中段の分割巻取軸９ｂを最下段の分割巻取軸９ｃと一体にして、それを最上段の分割巻取軸９ａに嵌挿できるように構成することもできる。
【００２７】
上記巻取軸４Ｂ，５Ｂは、このように複数に分割した分割巻取軸を相互に嵌入することにより、図８に示すような短縮形態になるように形成しているが、上記実施例の構成に限ることなく、任意段数に分割することができ、それらの場合に、隣接する分割巻取軸を適宜相互に嵌挿して長さを短縮することができるが、最上段及び最下段の分割巻取軸の径は、同一又は近似した径であることが望ましい。
【００２８】
そして、上記一対の巻取軸４Ｂ，５Ｂ間に取り付けるスクリーン２は、上述のようにそれらの巻取軸が伸縮することから、最上位の両分割巻取軸９ａに対して該スクリーン２の上部を接着剤１０で固定し、また最下位の分割巻取軸９ｃは、接着剤による固定又は適宜手段での着脱自在の固定により、使用時にスクリーン２が風等でなびくのを抑制すると同時に、図８に示すような短縮状態での収納保管時に、スクリーン２を分割巻取軸に巻き付けて、容易に整然とした折り畳み状態にできるようにしておくのが望ましい。
なお、この第２実施例のスクリーン装置１Ｂにおける使用の態様や、使用のために用いるその他の構成は、第１実施例の場合と格別の差異がないので、それらの記載を援用してその説明を省略する。
【００２９】
図９及び図１０は、本発明に係るドア内設置用スクリーン装置の第３実施例を示している。この第３実施例に係るドア内設置用スクリーン装置１Ｃは、基本的には、前記第１実施例と比較して、スクリーン２の巻取りを一方の巻取軸４Ｃのみに特定して、その巻取軸にスクリーン２の長さの余裕分を巻き取るようにし、それによって、スクリーン２の他端は巻き取る必要がなくなるので、単に、そのスクリーンの端部を保持する保持桟１１に取り付けるようにしている。
【００３０】
上記の構成は、図示するように、巻取軸４Ｃの内部にスクリーン２を巻き取るためのスプリング１２を収容するのに適しているが、該巻取軸４Ｃとして、単にスプリング１２を収容しない第１実施例の巻取軸４Ａ等と同様なものを用いることもでき、その場合には、同第１実施例において用いている軸ホルダー７を、単一の巻取軸のみを保持する構成のものとして、額縁２３のドア開端側の側面２３ａ、或いはドア２０自体の室内側面２０ａに対して取り付けるように構成すればよい。一方、保持桟１１は、適宜断面形状を有する筒体により形成し、前述した第１実施例の取付部材８により所要の位置に固定すればよい。
【００３１】
更に、上記スクリーン２の一端を巻き付ける巻取軸４Ｃと該スクリーン２の他端を保持する筒体状の保持桟１１とを、それぞれ複数段に分割した分割巻取軸及び分割保持桟の連結により形成して、それらの分割巻取軸及び分割保持桟を前記第２実施例のようにそれぞれ伸縮自在に嵌挿するように構成する場合には、第２実施例として上述したところに準じて額縁２３のドア開端側の側面２３ａ、或いはドア２０自体の室内側面２０ａに対して取り付けできるように構成すればよい。分割巻取軸及び分割保持桟に対するスクリーン２の取り付けも、第２実施例と同様に行えばよい。
【００３２】
一方、巻取軸４Ｃ内に上記図示のスプリング１２を収容し、巻取軸４Ｃに対してスクリーン２を巻き取る方向の付勢力を作用させる場合には、巻取軸４Ｃの両端を回転軸１４によりケース型の軸ホルダー１３に対し回転可能に支持させたものとし、前記第１実施例の構成に準じて、該軸ホルダー１３を額縁２３のドア開端側の側面２３ａとドア２０自体の室内側面２０ａとのいずれか一方に対し、軸線を上下方向に向けて取付部材８を介して取り付け、他方には、スクリーン２の他端を保持する保持桟１１を、同様に取付部材８を介して取り付けることになる。このスクリーン装置１Ｃの不使用時における保管を考慮する場合には、図１０に示すように巻取軸４Ｃを支持する軸ホルダー１３及び保持桟１１をまとめて適所に保管してもよいが、額縁２３のドア開端側の側面２３ａとドア２０自体の室内側面２０ａとのいずれか一方に、それぞれ取付部材８，８を並設しておき、それらに軸ホルダー１３及び保持桟１１を保持させるようにしてもよい。
【００３３】
また、図１１及び図１２は、本発明に係るドア内設置用スクリーン装置の第４実施例を示している。このドア内設置用スクリーン装置１Ｄは、一部開扉の通風状態にあるドアの内側に設置する上記第１〜第３実施例と同様な態様で使用するものであって、図１を参照してそれを説明すると、ドア２０の内側に設置されている額縁２３のドア開端側の側面２３ａと、ドア２０自体の室内側面２３ａとに、それぞれ、図１１に示しているような、軸線を上下方向に向けた一対の保持桟１１ａ，１１ｂを、前記取付部材８により取り付けるようにしている。そして、それらの保持桟１１ａ，１１ｂに、両該保持桟間の空間に張設するところの、プリーツ１５ａを上下方向に向けたアコーディオンプリーツ状のスクリーン１５の両端をそれぞれ取り付けている。
【００３４】
上記スクリーン１５は、軽量なネット等の素材を交互に逆方向に折り返して、折り畳む方向に弾性的に付勢されたプリーツ１５ａが付与されたものとして構成し、素材自体の強度及び上記折返しによる補強により、一対の保持桟１１ａ，１１ｂ間において弛みを生じることなく展張可能なものとして保持させることもできるが、図を参照して以下に説明するように、引張力付与部材１８を付設したコード１６を該スクリーンに水平に貫通させることにより、展張したスクリーン１５の垂れ下がりを抑制することもできる。
【００３５】
図示の実施例では、上記スクリーン１５を用いたドア内設置用スクリーン装置１Ｄにおいて、該スクリーン１５を水平方向に貫通する複数段のコード１６の各一端を一方の保持桟１１ｂに固定すると共に、それらの各コードの他端を、スクリーン１５を水平に貫通させ、それを他方の保持桟１１ａ内に挿入した部位において上方に転向させたうえで、保持桟１１ａ内の最上位に設けた転向子１７に巻き掛けて下方に転向させ、その転向させた各コード１６の先端をまとめて、重錘１８ａからなる引張力付与部材１８に連結することにより、上記各コード１６を緊張状態に保持し、展張した上記スクリーン１５の垂れ下がりを抑制するように構成している。上記引張力付与部材１８を構成する重錘１８ａに代えて、転向子１７に巻き掛けて下方に転向させた各コード１６の先端に、それに対して引張力を作用させるバネを連結することもできる。
【符号の説明】
【００３６】
１Ａ    スクリーン装置
２      スクリーン
４Ａ，５Ａ    巻取軸
７      軸ホルダー
２０      ドア
２１      ドア枠
２３      額縁
【図１】
0006548985.tif 000002
【図２】
0006548985.tif 000003
【図３】
0006548985.tif 000004
【図４】
0006548985.tif 000005
【図５】
0006548985.tif 000006
【図６】
0006548985.tif 000007
【図７】
0006548985.tif 000008
【図８】
0006548985.tif 000009
【図９】
0006548985.tif 000010
【図１０】
0006548985.tif 000011
【図１１】
0006548985.tif 000012
【図１２】
0006548985.tif 000013